(57)【要約】【課題】高価なオイルダンパを用いることなく、蓋部を緩やかに動作させることで、製造コストの低減を図る。【解決手段】車両のバッテリに充電を行う際に充電用コネクタが嵌合される車両側コネクタ１０であって、充電用コネクタが前方から嵌合されるコネクタハウジング２０と、このコネクタハウジング２０に設けられコネクタハウジング２０の前端面を覆う閉止位置とコネクタハウジング２０の先端面を露出させる開放位置との間を回動可能な蓋部４０と、蓋部４０を閉止位置から開放位置まで付勢するねじりコイルばね４５と、蓋部４０に設けられた軸受部４２の外面を押圧することで、蓋部４０が閉止位置から開放位置まで変位する際に、軸受部４２の外面と摺動する板ばね５０とを備えていることを特徴とする。【選択図】図６
2012221611.tif 000002
【特許請求の範囲】
【請求項１】
車両のバッテリに充電を行う際に充電用コネクタが嵌合される車両側コネクタであって、
前記充電用コネクタが嵌合される嵌合面を有するコネクタハウジングと、
このコネクタハウジングに設けられ前記嵌合面を覆う閉止位置と前記嵌合面を露出させる開放位置との間を回動可能な蓋部と、
前記蓋部を前記閉止位置から前記開放位置まで付勢する付勢部材と、
前記蓋部に設けられた受面を押圧することで、前記蓋部が前記閉止位置から前記開放位置まで変位する際に、前記受面と摺動するばね部材とを備えていることを特徴とする車両側コネクタ。
【請求項２】
前記コネクタハウジングには、前記蓋部の回動軸上に配された支持軸が固定されており、
前記蓋部には、前記支持軸に回動可能に支持された軸受部が設けられており、
前記受面は、前記蓋部の回動軌跡に沿って前記軸受部に設けられた円弧状の外面であることを特徴とする請求項１記載の車両側コネクタ。
【請求項３】
前記ばね部材は、前記受面に対して垂直方向と、前記受面に対して接線方向とに前記受面を押圧しており、
前記接線方向は前記蓋部が前記閉止位置に向かって回動する閉止方向とされていることを特徴とする請求項２記載の車両側コネクタ。
【請求項４】
前記ばね部材には、前記受面を押圧する押圧部が丸みを帯びた形態に形成されていることを特徴とする請求項１乃至請求項３の何れか一項に記載の車両側コネクタ。
【請求項５】
前記ばね部材は平板状をなす板ばねであって、
前記コネクタハウジングには、前記軸受部を収容する軸受収容部と、この軸受収容部の内部空間に連通する水抜き路とが形成されており、
前記板ばねは前記水抜き路の内面に固定されていることを特徴とする請求項１乃至請求項４の何れか一項に記載の車両側コネクタ。
【請求項６】
前記水抜き路には、前記板ばねを前方から装着することで前記板ばねの後端部を保持する保持部が設けられており、
前記受面は、前記板ばねの前端部に押圧されていることを特徴とする請求項５記載の車両側コネクタ。
【発明の詳細な説明】
【技術分野】
【０００１】
本発明は、充電の際に充電用コネクタに嵌合される車両側コネクタに関する。
【背景技術】
【０００２】
例えば、ハイブリッド車や電気自動車などの車両に装着される車両側コネクタとして、特許文献１に記載のものが知られている。この車両側コネクタは、高電圧の電力を取り扱うため、充電を行わない時には充電用コネクタとの嵌合面を覆う蓋部がコネクタハウジングに開閉可能に設けられている。蓋部は、嵌合面を覆う閉止位置から嵌合面が露出される開放位置に蓋部を付勢する付勢部材と、蓋部と係止することで蓋部を閉止位置に保持する保持部材とを有する開閉機構を備えている。この開閉機構は、充電用コネクタをコネクタハウジングに嵌合させる際に、蓋部と保持部材との係止状態を解除して、付勢部材の付勢力によって蓋部を閉止位置から開放位置まで変位させることでコネクタハウジングの嵌合面を外部に露出させる。
【０００３】
ところで、開閉機構においては、付勢部材の付勢力が強いと蓋部が勢いよく開放されるので、蓋部の負担が大きく、蓋部周辺や開閉機構を損傷させる虞がある。この対策としては、例えば、回転式のオイルダンパなどを用いることで蓋部を緩やかに動作させる。このような技術としては、特許文献２に記載のものが知られている。
【先行技術文献】
【特許文献】
【０００４】
【特許文献１】特開平７−１９２８０４号公報
【特許文献２】特開２００２−３３１８７５号公報
【発明の概要】
【発明が解決しようとする課題】
【０００５】
ところが、オイルダンパの部材価格は高価であるため、製造コストが高くなってしまう。かといって、付勢部材の付勢力を弱くしすぎると蓋部が途中で止まってしまい、コネクタハウジングの嵌合面が完全に露出されない虞がある。
【０００６】
本発明は上記のような事情に基づいて完成されたものであって、高価なオイルダンパを用いることなく、蓋部を緩やかに動作させることで、製造コストの低減を図ることを目的とする。
【課題を解決するための手段】
【０００７】
上記の目的を達成するための手段として本発明は、車両のバッテリに充電を行う際に充電用コネクタが嵌合される車両側コネクタであって、前記充電用コネクタが嵌合される嵌合面を有するコネクタハウジングと、このコネクタハウジングに設けられ前記嵌合面を覆う閉止位置と前記嵌合面を露出させる開放位置との間を回動可能な蓋部と、前記蓋部を前記閉止位置から前記開放位置まで付勢する付勢部材と、前記蓋部に設けられた受面を押圧することで、前記蓋部が前記閉止位置から前記開放位置まで変位する際に、前記受面と摺動するばね部材とを備えているところに特徴を有する。
このような構成の車両側コネクタによると、ばね部材によって受面を押圧し、受面とばね部材との間で摩擦を生じさせて、受面とばね部材とが摺動することで、蓋部を回動させる力を緩和させることができる。これにより、高価なオイルダンパを用いることなく、安価なばね部材によって蓋部を緩やかに動作させることができるので、車両側コネクタの製造コストを低減することができる。
【０００８】
本発明の実施の態様として、以下の構成が望ましい。
前記コネクタハウジングには、前記蓋部の回動軸上に配された支軸が固定されており、前記蓋部には、前記支軸に回動可能に支持された軸受部が設けられており、前記受面は、前記蓋部の回動軌跡に沿って前記軸受部に設けられた円弧状の外面である構成としてもよい。
このような構成によると、蓋部の回動軌跡に沿って設けられた円弧状の受面をばね部材で押圧することができるので、ばね部材と蓋部の回動軸との距離を一定にすることができる。これにより、受面とばね部材との間で生じする摩擦力をほぼ一定にすることができ、蓋部をほぼ一定の速度で回動させることができる。
【０００９】
前記ばね部材は、前記受面に対して垂直方向と、前記受面に対して接線方向とに前記受面を押圧しており、前記接線方向は前記蓋部が前記閉止位置に向かって回動する閉止方向とされている構成としてもよい。
このような構成によると、ばね部材が受面を押圧する力を蓋部の回動軸に向かう垂直方向へ押圧する力だけでなく、蓋部が閉止位置に向かって回動する閉止方向の力として作用させることができる。すなわち、蓋部が開放位置へ付勢される方向と反対方向の力として作用させることができるので、受面が閉止方向へ押圧されない場合に比べて、ばね部材と受面との間で摩擦力を大きくする垂直方向への押圧力を大きくすることなく、蓋部を回動させる力を緩和することができる。これにより、ばね部材の押圧力を弱くすることができ、ばね部材のコストダウンを図ることができる。
【００１０】
前記ばね部材には、前記受面を押圧する押圧部が丸みを帯びた形態に形成されている構成としてもよい。
このような構成によると、蓋部が閉止位置に向かって回動する際に、押圧部と受面とを円滑に摺動させることができるので、受面や押圧部が摩耗することを抑制することができる。
【００１１】
前記ばね部材は平板状をなす板ばねであって、前記コネクタハウジングには、前記軸受部を収容する軸受収容部と、この軸受収容部の内部空間に連通する水抜き路とが形成されており、前記板ばねは前記水抜き路の内面に固定されている構成としてもよい。
このような構成によると、既存の水抜き路内に板ばねを固定することで板ばねによって受面を押圧することができるので、板ばねを装着する部分を別途設ける必要がなく、車両側コネクタが大型化することを回避することができる。
【００１２】
前記水抜き路には、前記板ばねを前方から装着することで前記板ばねの後端部を保持する保持部が設けられており、前記受面は、前記板ばねの前端部に押圧されている構成としてもよい。
このような構成によると、板ばねを前方から保持部に装着した後に、前方から蓋部を装着することで、ねじや接着剤などを用いることなく、板ばねを前後方向に抜け止めした状態に保持固定することができる。これにより、ねじや接着剤などを用いる場合に比べてコスト低減を図ることができる。
【発明の効果】
【００１３】
本発明によれば、高価なオイルダンパを用いることなく、蓋部を緩やかに動作させることで、製造コストの低減を図ることができる。
【図面の簡単な説明】
【００１４】
【図１】車両側コネクタにおける蓋部が開放位置に位置する状態を示す斜視図
【図２】同正面図
【図３】同側面図
【図４】図２のＩＶ−ＩＶ線断面図
【図５】車両側コネクタにおける蓋部が閉止位置に位置する状態を示す正面図
【図６】図５のＶＩ−ＶＩ線断面図
【発明を実施するための形態】
【００１５】
＜実施形態＞
本発明の実施形態について図１乃至図６を参照して説明する。
本実施形態の車両側コネクタ１０は、合成樹脂製のコネクタハウジング２０と、このコネクタハウジング２０に回動可能に装着された合成樹脂製の蓋部４０とを備えて構成されている。この車両側コネクタ１０は、図示しない車両に装着され、図示しない充電用コネクタがコネクタハウジング２０に対して前方から嵌合可能とされている。
【００１６】
コネクタハウジング２０は、図１及び図２に示すように、略矩形状をなす板状の取付片２１と、この取付片２１を前後方向に貫通する略円筒状の端子収容部２２と、この端子収容部２２の外周に取付片２１と一体に設けられたフード部２３とを備えて構成されている。
【００１７】
取付片２１の四隅には、カラー２４が圧入されている。このカラー２４に図示しない固定ボルトを挿通して車両に締め込むことでコネクタハウジング２０が車両に固定されている。
【００１８】
端子収容部２２の内部には、図４及び図６に示すように、複数のキャビティ２５が前後方向に貫通して形成されている。各キャビティ２５の内部には、バッテリから延びる電線に接続された図示しない電線側端子金具が収容可能とされている。
【００１９】
フード部２３は、端子収容部２２における取付片２１よりも前方側に端子収容部２２の外周面を覆うように形成されている。このフード部２３の内部には、充電用コネクタが嵌合可能とされており、この嵌合に伴って、フード部２３と端子収容部２２との間には、充電用コネクタに設けられた充電側フード部が嵌合されるようになっている。
【００２０】
また、フード部２３は、図１及び図２に示すように、フード部２３の上端部に配されたロック突部２６と、フード部２３の下端部に配された位置決め凹部２７と、フード部２３の右端部に配された右側取付部２８と、フード部２３の左端部に配された左側取付部２９とを備えて構成されている。
【００２１】
ロック突部２６は、フード部２３の上端部から上方に突出するブロック状をなしており、ロック突部２６は、充電用コネクタに設けられた図示しないロック爪と係止可能とされている。そして、車両側コネクタ１０と充電用コネクタとが正規に嵌合されると充電用コネクタのロック爪とロック突部２６とが抜け方向に係止することで、互いのコネクタが嵌合状態に保持される。
【００２２】
位置決め凹部２７は、フード部２３の下端部から下方に膨出する形態をなしている。この位置決め凹部２７は、充電用コネクタが嵌合される際に、充電用コネクタの充電側フード部に設けられた図示しない位置決めリブを内部に案内することで、充電用コネクタを正規の嵌合位置に案内する役割を果たしている。
【００２３】
右側取付部２８は、上下に対向して設けられた一対の右側取付片２８Ａ，２８Ａと、両右側取付片２８Ａ，２８Ａの右側端部を上下方向に繋ぐ右側壁２８Ｂとを備え、フード部２３の右側面と取付片２１の前面とに一体に連なる箱型状に形成されている。
【００２４】
右側取付部２８の前方部には、図２及び図４に示すように、前方及び右方に開口した軸受収容部３１が形成されている。軸受収容部３１の内部には、後述する蓋部４０に設けられた軸受部４２が収容可能とされている。
【００２５】
軸受収容部３１の後方には、右側取付部２８と取付片２１とを前後方向に貫通する右側水抜き路３２が軸受収容部３１の内部空間と連通するように形成されている。この右側水抜き路３２は、軸受収容部３１内に前方または右方から水が浸入した際に、浸入した水を後方から排出するように設けられている。
【００２６】
軸受収容部３１には、図１及び図２に示すように、上下方向に延びる細長い丸ピン状の支持軸３３が装着されている。この支持軸３３の上下両端部は、軸受収容部３１における両右側取付片２８Ａ，２８Ａの中央部に支持固定されている。支持軸３３の上下方向中央部分には、蓋部４０が支持軸３３を回動中心として回動可能に支持されている。これにより、蓋部４０は、図６に示すように、端子収容部２２の前端面２２Ａおよびフード部２３の前端面２３Ａを覆う閉止位置と、図４に示すように、端子収容部２２の前端面２２Ａおよびフード部２３の前端面２３Ａを露出させて蓋部４０が右側取付部２８の右側壁２８Ｂに当接する開放位置との間を往復移動可能とされている。なお、端子収容部２２の前端面２２Ａおよびフード部２３の前端面２３Ａは本発明の「嵌合面」の一例である。
【００２７】
蓋部４０は、図１及び図２に示すように、円形板状の蓋本体４１と、蓋本体４１の右側に一体に設けられた軸受部４２とを備えて構成されている。
蓋本体４１は、図５及び図６に示すように、閉止位置において端子収容部２２の前端面２２Ａとフード部２３の前端面２３Ａとを前方から覆うことで、埃や水などがコネクタハウジング２０内に入り込むことを防ぐ役割を果たしている。
【００２８】
軸受部４２は、図２乃至図４に示すように、上下方向に延びた略円筒形状をなし、軸受部４２における蓋本体４１が設けられた側とは反対側の外面は蓋部４０の回動軌跡に沿った円弧状に形成されている。
軸受部４２の下方部には、ばね収容部４３が形成されている。ばね収容部４３の上下方向両端部には、軸挿通孔４４が設けられており、支持軸３３が軸挿通孔４４を上下方向に貫通することで、蓋部４０が支持軸３３に回動可能に支持されている。
【００２９】
ばね収容部４３には、図２に示すように、コイル状をなすねじりコイルばね（本発明の「付勢部材」の一例)４５が収容されており、このねじりコイルばね４５の中心に支持軸３３が挿通されることで、ねじりコイルばね４５がばね収容部４３に保持されている。
【００３０】
ねじりコイルばね４５の一方の端部４５Ａは、図２に示すように、フード部２３の右外側面に支持され、図示しない他方の端部はばね収容部４３の内面のうち、フード部２３の右外側面と対向する図示しない内側面に支持されている。これにより、蓋部４０は、常に閉止位置から開放位置に向けて付勢された状態となっている。
【００３１】
左側取付部２９は、図１及び図４に示すように、右側取付部２８と同様、フード部２３の右側面と取付片２１の前面とに一体に連なる箱型状に形成されている。左側取付部２９の前方部には、ロック片３４を支持したロック片支持軸３５が上下両端部を支持されることで装着されている。
【００３２】
このロック片３４は、蓋部４０における蓋本体４１の左側端部４１Ａを係止することで、ねじりコイルばね４５によって付勢された蓋部４０を閉止位置に保持している。
また、ロック片支持軸３５には、ロック用ねじりコイルばね３６が支持されており、このロック用ねじりコイルばね３６によって、ロック片３４は、図６に示すように、蓋本体４１を閉止位置に保持する保持位置に常に付勢されている。
【００３３】
ロック片３４には、図１および図６に示すように、蓋本体４１との係止状態を解除する押圧操作部３４Ａが設けられている。この押圧操作部３４Ａは、ロック用ねじりコイルばね３６の付勢力に抗して押圧操作することにより、ロック片３４を保持位置から解除する方向に変位させ、蓋本体４１とロック片３４との係止状態を解除する。これにより、蓋部４０が閉止位置から開放位置に回動されるようになっている。
【００３４】
また、ロック片３４の後方には、図４及び図６に示すように、右側取付部２８の右側水抜き路３２と同様に、左側取付部２９と取付片２１とを前後方向に貫通する左側水抜き路３７が形成されている。左側水抜き路３７は、ロック片３４の周辺部に浸入した水を後方から排出するように設けられている。
【００３５】
さて、右側水抜き路３２における右側壁２８Ｂの内面には、図４及び図６に示すように、金属製の板ばね５０を保持する保持部３８が設けられている。この板ばね５０は、蓋部４０の軸受部４２における円弧状の外面である受面４２Ａを押圧するように保持部３８に保持固定されている。一方、軸受部４２の円弧状の外面において押圧部５３に押圧される部分は、受面４２Ａとされている。そして、蓋部４０が回動する際には、板ばね５０と受面４２Ａとの間で摩擦が発生し、板ばね５０と受面４２Ａとが摺動するようになっている。なお、板ばね５０に用いられる金属は、例えば耐食性に優れたステンレス鋼が使用され、右側水抜き路３２内において水が板ばね５０に付着した場合でも、板ばね５０に錆が発生することが抑制されている。
【００３６】
詳細には、右側水抜き路３２における右側壁２８Ｂの内面には、図４及び図６に示すように、ブロック状の保持部３８が突設されている。この保持部３８には、前方に開口した凹部３９が形成されており、この凹部３９内には、平板状の板ばね５０が前方から挿入可能とされている。凹部３９は後述する板ばね５０が適合して挿入可能なように形成されており、板ばね５０が凹部３９内に前方から挿入された際には、板ばね５０が上下左右および後方向に移動することを規制されるようになっている。
【００３７】
板ばね５０は、保持部３８の凹部３９に挿入される平板状の支持片５１と、支持片５１の前端から左斜め前方に屈曲されて延出された平板状の押さえ部５２とを備えて構成されている。また、押さえ部５２は、屈曲した部分を支点に後方に向かって弾性変形可能に設けられている。
【００３８】
支持片５１は、押さえ部５２がフード部２３側（左側）に傾斜した状態となるように、保持部３８の凹部３９に前方から挿入されており、上下左右及び後方向への移動が規制された状態に保持されている。すなわち、板ばね５０の後端部は、保持部３８の凹部３９によって後止めされた状態に保持されている。
【００３９】
押さえ部５２は、支持片５１の前端から左斜め前方に向かって延びた形態とされており、押さえ部５２の上下方向の幅寸法は、軸受部４２におけるばね収容部４３よりも上方部分の高さ寸法に比べて僅かに広く設定されている。これにより、蓋部４０が回動する際に、押さえ部５２における上下方向両端部の図示しないエッジが軸受部４２の円弧状の外面と接触して、軸受部４２を損傷させないようになっている。
【００４０】
押さえ部５２の前端部には、右斜め前方に向かって膨出する押圧部５３が設けられている。この押圧部５３は、押さえ部５２を叩き出すことにより形成されており、押圧部５３は丸みを帯びた形態に形成されている。
【００４１】
また、押さえ部５２は、軸受収容部３１に蓋部４０の軸受部４２が収容されることで、図４及び図６に示すように、軸受部４２の円弧状の外面によって右斜め前方から左斜め後方に向かって押圧され、後方に向かって撓み変形した状態となっている。すなわち、板ばね５０は、板ばね５０の前端部が軸受部４２によって前方から押圧され、板ばね５０の後端部が保持部３８の凹部３９によって後止め状態に保持されることで、右側水抜き路３２内において前後方向に抜け止めされた状態に保持固定されている。これにより、ねじや接着剤などを用いて板ばね５０を固定する場合に比べてコスト低減を図ることができるようになっている。
【００４２】
また、押圧部５３は押さえ部５２が後方に向かって撓み変形することで、軸受部４２における円弧状の外面である受面４２Ａを右斜め前方に押圧した状態となっている。これにより、蓋部４０が閉止位置から開放位置まで回動する際に、押圧部５３と軸受部４２の受面４２との間で摩擦が発生し、押圧部５３と軸受部４２の円弧状の受面４２Ａとが摺動するようになっている。
【００４３】
一方、軸受部４２における受面４２Ａの範囲は、図６に示すように、閉止位置において押圧部５３が軸受部４２の外面を押圧している位置Ｌ１から、図４に示すように、開放位置において押圧部５３が軸受部４２の外面を押圧している位置Ｌ２までの範囲とされている。また、蓋部４０の回動軸を中心点としたときの受面４２Ａに対応する中心角θは約９５°とされている。
【００４４】
また、押圧部５３が軸受部４２の受面４２Ａを押圧する方向をＰ方向とし、押圧部５３が受面４２Ａを押圧している位置から蓋部４０の回動軸の軸心（支持軸３３）に向かった垂直方向（受面４２Ａに対して垂直方向）をＰ１方向とし、押圧部５３が受面４２Ａを押圧している位置から蓋部４０が閉止位置に向かって回動する閉止方向（受面４２Ａに対して接線方向）をＰ２方向としたとき、押圧部５３が受面４２Ａを押圧するＰ方向の力は、蓋部４０の回動軸の軸心に向かった垂直方向(Ｐ１方向)の分力と、蓋部４０を閉止する閉止方向（Ｐ２方向）の分力とに分解することができる。すなわち、押圧部５３が受面４２Ａを押圧する力は、蓋部４０が開放位置に向かって付勢される方向と反対方向であるＰ２方向にも作用した状態となっている。
【００４５】
本実施形態は以上のような構成であって、続いて作用効果を説明する。
まず、図示しないバッテリに充電を行う際には、図５及び図６に示す閉止位置においてロック片３４の押圧操作部３４Ａを押圧操作して、蓋部４０とロック片３４との係止状態を解除する。
【００４６】
すると、蓋部４０がねじりコイルばね４５の付勢力によって閉止位置から図２及び図４に示す開放位置へ回動する。この回動過程において、板ばね５０における押さえ部５２の押圧部５３が蓋部４０における軸受部４２の受面４２Ａを押圧することで、押圧部５３と受面４２Ａとの間で摩擦が発生し、押圧部５３と受面４２Ａとが摺動する。これにより、押圧部５３と受面４２Ａとの間で生じる摩擦力によって蓋部４０を回動させる力を緩和することができる。
【００４７】
以上のように、本実施形態においては、高価なオイルダンパを用いることなく安価な板ばね５０によって蓋部４０を緩やかに動作させることができるので、車両側コネクタ１０の製造コストを低減することができる。
【００４８】
また、本実施形態によると、板ばね５０の押圧部５３が受面４２ＡをＰ方向へ押圧する力は、蓋部４０の回動軸（支持軸３３）に向かう垂直方向（Ｐ１方向）の力だけでなく、蓋部が開放位置へ付勢される方向と反対方向の力（蓋部４０を閉止する閉止方向（Ｐ２方向）の力）としても作用させることができる。すなわち、受面４２Ａが蓋部４０を閉止する閉止方向（Ｐ１方向）へ押圧されない場合に比べて、押圧部５３と受面４２Ａとの間で摩擦力を大きくする垂直方向への押圧力を大きくすることなく、蓋部４０を回動させる力を緩和することができる。これにより、板ばね５０の押圧力を弱くすることができ、板ばね５０のコスト低減を図ることができる。ひいては車両側コネクタ１０の製造コストを更に低減することができる。
【００４９】
また、金属製の板ばね５０によって合成樹脂製の軸受部４２の受面４２Ａを押圧しているため、受面４２Ａが摺動する際に摩耗する虞がある。ところが、本実施形態によると、押圧部５３が丸みを帯びた形状に形成されているので、押圧部５３と受面４２Ａとを円滑に摺動させることができ、受面４２Ａが摩耗することを抑制することができる。
【００５０】
また、軸受部４２の受面４２Ａは、蓋部４０の回動軌跡に沿って設けられているので、押圧部５３と蓋部４０の回動軸（支持軸３３）との距離をほぼ一定にすることできる。これにより、押圧部５３と受面４２Ａとの間で生じる摩擦力をほぼ一定にすることができ、蓋部４０をほぼ一定の速度で回動させることができる。
【００５１】
また、本実施形態では、板ばね５０を既存の右側水抜き路３２内に固定したので、板ばね５０を装着する部分を別途設ける必要がなく、車両側コネクタ１０が大型化することを回避することができる。
更に、従来のように蓋部を緩やかに動作させるためにオイルダンパを用いると、オイルダンパが破損した場合、オイルダンパからオイルが漏れだし、車両を汚す虞があるが、本実施形態においてはオイルを使用していないため、オイルによって車両を汚すといった問題を回避することができる。
【００５２】
＜他の実施形態＞
本発明は上記記述及び図面によって説明した実施形態に限定されるものではなく、例えば次のような実施形態も本発明の技術的範囲に含まれる。
（１）上記実施形態では、受面４２Ａを円弧状の面に構成したが、本発明はこのような態様に限定されるものではなく、例えば、受面をフラットな面に構成してもよい。
（２）上記実施形態では、押さえ部５２の前端部に押さえ部５２から膨出した状態の押圧部５３を設けた構成としたが、本発明はこのような態様に限定されるものではなく、例えば、押さえ部５２の先端部を後方に屈曲させることで、押さえ部５２の先端に押圧部を形成してもよい。
【００５３】
（３）上記実施形態では、軸受部４２の受面４２Ａを板ばね５０によって押圧する構成としたが、本発明はこのような態様に限定されるものではなく、例えば、ねじりコイルばねによって軸受部４２の受面４２Ａを押圧する構成としてもよい。
【符号の説明】
【００５４】
１０  ：車両側コネクタ
２０  ：コネクタハウジング
２２Ａ：端子収容部の前端面（嵌合面）
２３Ａ：フード部の前端面（嵌合面）
３３  ：支持軸
４０  ：蓋部
４２  ：軸受部
４２Ａ：受面
４５  ：ねじりコイルばね（付勢部材）
５０  ：板ばね（ばね部材）
５３  ：押圧部
Ｐ１  ：垂直方向
Ｐ２  ：閉止方向（接線方向）
【図１】
2012221611.tif 000003
【図２】
2012221611.tif 000004
【図３】
2012221611.tif 000005
【図４】
2012221611.tif 000006
【図５】
2012221611.tif 000007
【図６】
2012221611.tif 000008